(57)【要約】【課題】  利用者が自身でショートカットキーを選択し携帯電話の任意の機能を登録することができ、簡単な操作で登録したショートカットキーの機能を能動化することができる携帯電話を提供する。【解決手段】  携帯電話１０は、任意のテンキーに携帯電話の所望の機能を割り当てるショートカットキー登録処理部２８と、登録したショートカットキーの機能を有効にするための機能選択キー２４３と、通話のための通話キー２４１と、テンキー２４５を備えた操作部２４と、機能選択キー２４３または通話キー２４１が操作された場合に携帯電話１０を操作されたキーに応じたモードに変更するモード制御部２７と、変更されたモードを記憶するモード記憶部２９と、を備え、モード記憶部２９に記憶されたモードに応じて、操作されたテンキー２４５をショートカットキーまたは電話番号入力のための数値キーとして動作させる。【選択図】      図１
2007074232.tif 000002
【特許請求の範囲】
【請求項１】
通話機能とその他の機能を有する携帯電話において、前記携帯電話は、
任意のテンキーに携帯電話の所望の機能を割り当てるショートカットキー登録処理部と、
登録したショートカットキーの機能を有効にするための機能選択キーと、通話のための通話キーと、テンキーを備えた操作部と、
前記機能選択キーまたは通話キーが操作された場合に携帯電話を操作されたキーに応じたモードに変更するモード制御部と、変更されたモードを記憶するモード記憶部と、を備え、
前記モード記憶部に記憶されたモードに応じて、操作されたテンキーをショートカットキーまたは電話番号入力のための数値キーとして動作させることを特徴とする携帯電話。
【請求項２】
通話機能とその他の機能を有する携帯電話において、前記携帯電話は、
任意のテンキーに携帯電話の所望の機能を割り当てるショートカットキー登録処理部と、
通話のための通話キーと、テンキーを備えた操作部と、
前記通話キーの操作の有無に基づいて、前記携帯電話を通話モード、または登録したショートカットキーの機能を有効にする動作モードに変更するモード制御部と、変更されたモードを記憶するモード記憶部と、を備え、
前記モード記憶部に記憶されたモードに応じて、操作されたテンキーをショートカットキーまたは電話番号入力のための数値キーとして動作させることを特徴とする携帯電話。
【発明の詳細な説明】
【技術分野】
【０００１】
本発明は、携帯電話の機能キーに関するものであり、特に、利用者が１つまたは２つ程度のテンキー、文字キーを選択して任意の機能を起動するためのショートカットキーとして機能登録することができるように構成し、待ち受け状態あるいは通話キー操作の有無をトリガーにして、利用者が操作したテンキー、文字キーに登録されたショートカットキー機能を能動化できるように構成した携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置は、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
このような携帯電話の付加機能としてカメラを内蔵したものも提供されている。カメラ付の携帯電話を利用すれば、デジタルカメラなどを個別に携帯することなく、利用者は任意の時、場所で任意の被写体を撮影し、パケット通信機能を利用して撮影した画像データを電子メール等に添付して自分自身のコンピュータ装置に送信したり、友人、家族に送信したりすることができる。また、撮影した画像データをサービスセンタのサーバに送信して保存したり、プリントしたりするサービスを提供する提案もなされている。
【０００５】
第３世代と称される携帯電話にはＧＰＳ受信機が搭載され、携帯電話自体が位置する現在位置（緯度・経度）を測定することができ、携帯電話を端末装置としたナビゲーションシステムも実用化されている。また、この測位システムを利用して、高齢者や児童などの位置確認や、犯罪や火災などの事件、事故における通報時の位置確認などに利用システムも種々検討されている。
【０００６】
更に、利用者は、サービス事業者が提供するブラウザやアプリケーション、ゲームソフトのように携帯電話用として開発された様々なアプリケーションなどを自身が所有する携帯電話にインストールして所望のサービスや機能追加のためカスタマイズすることができる。
【０００７】
ところで、携帯電話のような携帯端末装置においては、文字入力装置は、限られた面積に、限られた数のキーを設置した操作部によって構成されるため、キーには複数の文字コードが割り当てられ、利用者が選択した機能や操作順序により文字入力やかな漢字変換、英数カナ変換などの変換を行って文章を作成することになる。このため、キーを操作して文字入力をしながら、文字入力の変換モードの切り換え操作をする複雑な処理が必要となっていた。
【０００８】
上記のように、携帯電話のアプリケーションが種々の分野に拡大するに従って、携帯電話の操作はますます複雑になっており、特に高齢者などにとって使いにくいものとなっていた。また、文字入力に限らず、携帯電話で操作可能な様々な機能を実行するために、１つのキーに複数の機能を割り当て、モード切り換えやメニュー選択によりキーに割り当てられた機能の１つを特定して所望の動作を実行する構成を採らざるを得ず、これが携帯電話の操作を更に複雑なものにしていた。
【０００９】
一般的に、携帯電話の主たる機能は通話機能であるから、携帯電話が通話以外の何らかの機能を使用していない待ち受け状態にあっては、機能キー以外のテンキー、文字キーの操作に対しては通話のための電話番号入力モードとして扱われるようになされている。従って、利用者が通話以外の機能を使用したい場合、予め携帯電話に搭載されている通話以外の機能については、表示部に表示される初期メニュー画面から所望の機能を選択して所定のアプリケーションを起動したり、操作部に設けられた機能キーを選択して所定のアプリケーションを起動したりすることによって所望の機能を使用するように構成されている。
【００１０】
このような操作手順は利用者にとって面倒なものであり、これを解消するため、下記の特許文献１（特開２００４−１４６９２０号公報）に開示された「多機能電子機器」のように、電卓機能を有する携帯電話のような多機能電子機器において、複数のモードを表示するメニュー画面を介して電卓モードを起動させる技術が知られている。
【００１１】
この特許文献１に開示された多機能電子機器は、例えば、携帯電話機の待受モード時において、使用者が、キー操作部３の数字キーを操作し、数値を入力すると、表示部には、入力された数値及び電卓モードに移行するショートカットキーが表示される。そして、使用者が、キー操作部を操作し、ショートカットキーに対応するキーを押下することで、電卓モードが起動する。そして、待受モードにおいて入力された数値を少なくとも演算入力数値の一部として認識することができ、使用者の操作の手間を省き、視覚的に分かり易い操作を実現したものである。
【特許文献１】特開２００４−１４６９２０号公報（図
【発明の開示】
【発明が解決しようとする課題】
【００１２】
ところで、先に述べたように携帯電話においては、様々な機能を利用するため利用者にわかり易い、操作し易い機能選択方法を提供することが好ましい。このためには、上記特許文献１に開示された多機能電子機器におけるショートカットキーのように特定のキー操作をすることで所望の機能を直ぐに起動できると便利である。
【００１３】
しかしながら、上記特許文献１に開示された多機能電子機器である携帯電話においては、待ち受けモードで数値キーが入力された場合に、電卓機能のショートカットキー選択表示を行い利用者がショートカットキー操作すると直ちに電卓モードが起動され、入力された数値が電卓計算における入力数値として扱われるようにしたものである。すなわち特許文献１の多機能電子機器においては、ショートカットキーは予め電子機器側に設定されたものであり、電卓機能に限られ、利用者が所望する任意の機能について電卓機能と同様の簡単な操作ができないという問題点があった。
【００１４】
本願の発明者は上記の問題点を解消すべく種々検討を重ねた結果、利用者が１つまたは２つ程度のテンキー、文字キーを選択して任意の機能を起動するためのショートカットキーとして機能登録することができるように構成し、待ち受け状態あるいは通話キー操作の有無をトリガーにして、利用者が操作したテンキー、文字キーに登録されたショートカット機能を能動化できるようにすれば、上記の問題点を解消できることを想到し本発明を完成するに至ったものである。
【００１５】
すなわち、本発明は前記の問題点を解消することを課題とし、利用者が任意のテンキーを選択して携帯電話の任意の機能をショートカットキー登録することができ、簡単な操作で登録したショートカットキーの機能を能動化することが可能な携帯電話を提供することを目的とするものである。
【課題を解決するための手段】
【００１６】
前記課題を解決するために、本願の請求項１にかかる発明は、通話機能とその他の機能を有する携帯電話において、前記携帯電話は、任意のテンキーに携帯電話の所望の機能を割り当てるショートカットキー登録処理部と、登録したショートカットキーの機能を有効にするための機能選択キーと、通話のための通話キーと、テンキーを備えた操作部と、前記機能選択キーまたは通話キーが操作された場合に携帯電話を操作されたキーに応じたモードに変更するモード制御部と、変更されたモードを記憶するモード記憶部と、を備え、前記モード記憶部に記憶されたモードに応じて、操作されたテンキーをショートカットキーまたは電話番号入力のための数値キーとして動作させることを特徴とする。
【００１７】
また、本願の請求項２にかかる発明は、通話機能とその他の機能を有する携帯電話において、前記携帯電話は、任意のテンキーに携帯電話の所望の機能を割り当てるショートカットキー登録処理部と、通話のための通話キーと、テンキーを備えた操作部と、前記通話キーの操作の有無に基づいて、前記携帯電話を通話モード、または登録したショートカットキーの機能を有効にする動作モードに変更するモード制御部と、変更されたモードを記憶するモード記憶部と、を備え、前記モード記憶部に記憶されたモードに応じて、操作されたテンキーをショートカットキーまたは電話番号入力のための数値キーとして動作させることを特徴とする。
【発明の効果】
【００１８】
請求項１にかかる発明においては、機能選択キーまたは通話キーが操作された場合に携帯電話を操作されたキーに応じたモードに変更するモード制御部と、変更されたモードを記憶するモード記憶部とを備え、モード記憶部に記憶されたモードに応じて、操作されたテンキーをショートカットキーまたは電話番号入力のための数値キーとして動作させる。
【００１９】
従って、待ち受け状態をトリガーにして機能選択キーまたは通話キーの操作によりモードを切り替え、次のキー操作において操作されたキーがショートカットキーとして機能させるか電話番号入力の数値キーとして機能させるかを切り替えるから、利用者は登録した任意のショートカットキーを操作するだけで簡単にショートカットキー登録部に登録した機能を実行できるようになる。
【００２０】
また、請求項２にかかる発明においては、通話キーの操作の有無に基づいて、前記携帯電話を通話モード、または登録したショートカットキーの機能を有効にする動作モードに変更するモード制御部と、変更されたモードを記憶するモード記憶部と、を備え、モード記憶部に記憶されたモードに応じて、操作されたテンキーをショートカットキーまたは電話番号入力のための数値キーとして動作させる。
【００２１】
従って、通話キー操作有無をトリガーにして、通話キー操作がなくテンキー操作された場合には操作されたテンキーを自動的にショートカットキーとして扱い、通話キー２４１操作があった場合には操作されたテンキーを電話番号入力のための数値キーとして扱うから、テンキー操作においてショートカットキー機能が優先される。このため利用者は複雑な操作なしにショートカットキー機能により携帯電話の所望の機能を実行することができるようになる。
【発明を実施するための最良の形態】
【００２２】
以下、本発明の具体例を実施例及び図面を用いて詳細に説明する。図１は本発明の実施例にかかる携帯電話の構成を示すブロック図、図２は図１の携帯電話の外観を示す外観図、図３は本発明の実施例におけるショートカットキーの登録画面を示す図、図４はショートカットキーの登録メモリの構成を示す図、図５は本発明の実施例１にかかるショートカットキー操作によるモード制御手順を示すフローチャート、図６は本発明の実施例２にかかるショートカットキー操作によるモード制御手順を示すフローチャートである。
【実施例１】
【００２３】
図１のブロック図には、本発明の実施例に係る文字入力装置２１を含む携帯電話１０の構成が示されている。携帯電話１０は、通話部１１と本発明に係る操作制御部２１から構成されている。通話部１１は、マイク１２とスピーカ１３と無線部１４とから構成されており、無線部１４は、アンテナ、送受信回路、変復調回路、圧縮伸長回路、音声コーデック等を含んでおり、無線部１４を介してマイク１２から入力された音声を音声信号として送信し、通話の相手方の音声信号を受信してスピーカ１３に出力する。
【００２４】
操作制御部２１は、主制御部２２、表示部２３、操作部２４、モードキー検出部２５、英数カナ変換制御部２６、モード制御部２７、モード記憶部２９、ショートカットキー登録を行う登録処理部２８、ショートカットキー登録部３０から構成されている。主制御部２２は、マイクロコンピュータ、ＲＡＭ、ＲＯＭ等からなりコンピュータ装置として機能し、無線部１４および操作制御部２１の上記各部を制御する。また、表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。
【００２５】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英文字、カタカナ、ひらがなの文字が割り当てられ、英数カナ変換制御部２６により文字コード変換が行われる。文字コード変換は、入力モードが英数カナあるいはかな漢字変換モードであるかによりそれぞれ操作されたキーに応じた入力文字コードに変換される。機能選択キー２４３はショートカットキーの機能を有効にするキーである。
【００２６】
本実施例の携帯電話１０において、利用者は所望のテンキー２４５の１つまたは２つ程度を入力して当該入力した文字に携帯電話１０が備えている所望の機能、例えば、電話帳機能やカメラ機能を起動するショートカットキーとして機能登録をすることができる。登録したショートカット機能は該当するショートカットキーを操作することによって起動することができる。その際、携帯電話機１０が待ち受け状態にある時、あるいは、通話キー２４１の操作の有無をトリガーにして、利用者が操作したテンキー（ショートカットキー）に登録されたショートカット機能を能動化することにより利用者は複雑なメニュー画面操作やモードキー操作なしに携帯電話１０の所望の機能を起動することができるようになる。
【００２７】
図２は、図１に示す携帯電話１０その外観を示す図である。携帯電話１０は液晶表示ユニットなどで構成された表示部２３と操作部２４とを備えており、操作部２４にはツウワキー２４１と機能選択キー２４３と複数のテンキー２４５が設けられ、また、参照番号を付していないモードキーや表示部２３に表示された画面の特定表示画像を操作するためのカーソルキーなどを備えている。機能選択キー２４３はショートカットキーの機能を有効にするモードに切り替えるためのキーである。
【００２８】
一般的には、携帯電話１０が何らの操作もなされていない状態では携帯電話１０は通話機能が優先され、着信を待つ待ち受け状態とされ、表示部２３には待ち受け画面が表示されている。携帯電話１０の通話以外の機能を起動したい場合には、メニュー画面を表示部２３に表示させ、カーソル操作により所望のメニューを選択することによりメニューに設定された携帯電話の各種機能を起動することができる。
【００２９】
本実施例においては、先に述べたように利用者は携帯電話１０の所望の機能を起動するためのショートカットキー登録をすることができる。図３は表示部２３に表示されるショートカットキーを登録するための登録画面の構成を示す図であり、登録処理部３８はショートカットキー登録処理が要求されると、図３の登録画面を表示部２３に表示する。この登録画面は、登録したい携帯電話１０の機能が表示された機能選択項目３１と所望のキー入力を行うキー入力欄３２が表示され、選択ボタン３３、登録ボタン３４、メニュー画面等に戻るための戻るボタン３５が表示される。
【００３０】
利用者はこの登録画面において機能選択画像３１からショートカットキー登録したい機能にカーソルを移動し選択ボタン３３を操作して選択し、次にテンキー２４５を操作してキー入力欄３２に覚え易い所望のキー入力を行い、登録する機能選択項目３１をクリックして選択し、登録ボタン３４を操作する。この登録操作によってショートカットキー登録部３０（図１参照）にショートカットキーの登録が行われる。
【００３１】
図４は、ショートカットキー登録部３０のデータ構成を示す図である。前述のようにして登録されたショートカットキーは、入力したキーの文字コードと登録した機能名、登録機能の起動アドレスが対応付けて記憶されている。従って、携帯電話１０がショートカットキーの機能を有効にするモードで動作され、利用者が登録したショートカットキーを操作すると、登録メモリ３０を参照して登録した機能が起動される。
【００３２】
次に、以上説明した携帯電話１０のショートカットキーのモード制御動作手順を、図５のフローチャートに基づいて説明する。ステップＳ１０１において携帯電話１０が何らの操作もされておらず、待ち受け状態にあるものとする。この状態において操作部２４のテンキー２４５が操作された場合、ステップＳ１０２の処理において、キー操作の有無を判別する。この処理においてキーの操作がなければステップＳ１０１の待ち受け状態に戻り、キーが操作されていれば、ステップＳ１０３の処理において、キー検出部２５は携帯電話１０のモード変更のためのキー操作であるか否かが判定される。
【００３３】
ステップＳ１０３の判定処理においてモード変更のためのキー操作であると、ステップＳ１０４の処理に進み、モード制御部２７はキー操作によって指定されたモードに変更してステップＳ１０２の処理に戻る。ここで機能選択キー２４３が操作された場合、ショートカットキーを有効にするモードであるから、モードキー検出部２５がこれを検出すると、モード制御部２７はステップＳ１０４の処理において携帯電話１０のモードをショートカットキーによる機能を有効にするモードに変更する。このモードの変更はモード記憶部２９に記憶される。
【００３４】
また、通話キー２４１が操作された場合はモードキー検出部２５がこれを検出すると携モード制御部２７はステップＳ１０４の処理において携帯電話１０のモードを通話モードは変更する。このモードはモード記憶部２９に記憶される。
【００３５】
一方、ステップＳ１０３の判定処理においてモード変更のためのキー操作でないと判定された場合は、ステップＳ１０５の処理においてモード記憶部２９に記憶された携帯電話１０の現在の動作モードが参照され、現在のモードが発信のための番号入力（電話番号入力）モードであるか否かが判定される。
【００３６】
ステップＳ１０５の判定処理において番号入力モードであると判定されるとステップＳ１０６の処理に進み、携帯電話１０は電話番号入力を行うことができる状態になる。その後、番号入力、通話などの一連の動作がなされるとステップＳ１０１の待ち受け状態に戻る。
【００３７】
ステップＳ１０５の判定処理において番号入力モードでないと判定された場合は、ステップＳ１０７の処理においてモード記憶部２９に記憶されたモードを参照する。ステップＳ１０２の処理で操作されたキーが機能選択キー２４３であれば、モード記憶部２９に記憶された現在の携帯電話１０のモードは、ショートカットキーを有効にする機能選択モードであるので、この処理において、利用者が操作したショートカットキーに登録された機能が起動される。例えば、図４に示すように「デ」のショートカットキーが操作されれば、携帯電話１０は電話帳を操作する機能が起動される。
【００３８】
このように、実施例１の携帯電話１０は、待ち受け状態をトリガーにして機能選択キー２４３、または、通話キー２４１の操作によりモードを切り替え、次のキー操作において操作されたキーがショートカットキーとして機能させるか電話番号入力の数値キーとして機能させるかを切り替えるものであり、利用者は登録した任意のショートカットキーを操作するだけで簡単にショートカットキー登録部３０に登録した機能を実行できるようになる。
【実施例２】
【００３９】
図６は、実施例２にかかる携帯電話１０におけるショートカットキーのモード制御動作手順を示すフローチャートである。実施例２における携帯電話１０の構成は、図１に示す実施例１における携帯電話１０の構成と同様であり、その説明は省略する。実施例２の携帯電話１０においては通話キー２４１の操作の有無をトリガーにして、次に操作されたキーをショートカットキーとして機能させるか、電話番号入力の数値キーとして機能させるかを切り替えるものである。
【００４０】
すなわち、図６に示すフローチャートにおいて、ステップＳ２０１の処理でキー検出部２５は通話キー２４１が操作されたか否かを検出する。通話キー２４１が操作された場合には、ステップＳ２０２の処理において携帯電話１０は通話モードに変更され、このモードがモード記憶部２９に記憶される。そして、ステップＳ２０３の処理において利用者がテンキー２４５を操作したか否かが判定される。
【００４１】
テンキー操作でなければステップＳ２０３の処理に戻り、テンキー操作であれば、操作されたテンキーの数値がステップＳ２０４の処理において電話番号の数値として表示され、ステップＳ２０５の処理において通話キー２４１の操作を検出する。通話キー２４１が操作されていない場合はステップＳ２０３の処理に戻る。通話キー２４１が操作されればステップＳ２０５の処理に進み、発呼する。そして、通話が終了してオンフックされれば処理を終了する。
【００４２】
一方、ステップＳ２０１の処理において通話キー２４１が操作されていなければステップＳ２０７の処理においてテンキー２４５が操作されたか否かが判定される。テンキー２４５が操作されなければステップＳ２０１の処理に戻り、テンキーが操作されたならばステップＳ２０９の処理において入力された文字を表示して、ショートカットキー機能を有効に変更する。このモードはモード記憶部２９に記憶される。
【００４３】
ステップＳ２０９の処理において操作されたテンキーの文字が表示されると、次いで携帯電話１０は、ステップＳ２０９の処理においてショートカットキー登録部３０を参照し、ステップＳ２０７で操作されたテンキーに、何らかの機能が登録されているかを判定する。対応する登録機能があれば、ステップＳ２１０の処理において登録機能の一覧（メニュー）を表示して、当該操作されたショートカットキーに登録された機能が起動される。例えば、ステップＳ２０７において「デ」のショートカットキー（テンキー）が操作されれば、携帯電話１０は電話帳を操作する機能が起動される。
【００４４】
このように、実施例２においては、通話キー２４１の操作有無をトリガーにして、通話キー操作がなくテンキー操作された場合には操作されたテンキーを自動的にショートカットキーとして扱い、通話キー２４１操作があった場合には操作されたテンキーを電話番号入力のための数値キーとして扱うものであり、テンキー操作においてショートカットキー機能が優先される。このため利用者は複雑な操作なしにショートカットキー機能により携帯電話の所望の機能を実行することができるようになる。
【産業上の利用可能性】
【００４５】
本発明によれば、携帯電話の種々の機能を利用者が覚え易いテンキーの文字を選択してショートカットキー登録し、簡単な操作で当該ショートカットキーを操作して登録した機能を実行することができ、特に高齢者などを対象とした携帯電話に適用すると効果的である。
【図面の簡単な説明】
【００４６】
【図１】本発明の実施例にかかる携帯電話の構成を示すブロック図である。
【図２】図１の携帯電話の外観を示す外観図である。
【図３】本発明の実施例におけるショートカットキーの登録画面を示す図である。
【図４】ショートカットキーの登録メモリの構成を示す図である。
【図５】本発明の実施例１にかかるショートカットキー操作によるモード制御手順を示すフローチャートである。
【図６】本発明の実施例２にかかるショートカットキー操作によるモード制御手順を示すフローチャートである。
【符号の説明】
【００４７】
１０・・・・携帯電話
１１・・・・通話部
１２・・・・マイク
１３・・・・スピーカ
１４・・・・無線部
２１・・・・操作制御部
２２・・・・主制御部
２３・・・・表示部
２４・・・・操作部
２４１・・・通話キー
２４３・・・機能選択キー
２４５・・・テンキー
２５・・・・きー検出部
２６・・・・英数カナ変換制御部
２７・・・・モード制御部
２８・・・・登録処理部
２９・・・・モード記憶部
３０・・・・ショートカットキー登録部
【図１】
2007074232.tif 000003
【図２】
2007074232.tif 000004
【図３】
2007074232.tif 000005
【図４】
2007074232.tif 000006
【図５】
2007074232.tif 000007
【図６】
2007074232.tif 000008